(57)【特許請求の範囲】
【請求項１】
少なくとも２個以上のセルを含むクラスター単位に構成される直交周波数分割多重システムでの帯域分散的資源割当方法において、
前記直交周波数分割多重システムの一つのフレームの周波数資源を時間の軸によってＮ個の時間領域(Zone)に区分する段階と、
前記クラスター内のセル各々に対して前記Ｎ個の時間領域(Zone)のうちから資源割当スタート領域を決定する段階と、
前記各セルのスケジューラーによって決定された使用者を経路減衰によって降順に整列する段階と、及び
前記降順に整列された使用者に対して前記各セルの資源割当スタート領域から順に資源を割当する段階とを含み、
前記降順に整列された使用者に対して前記各セルの資源割当スタート領域から順に資源を割当する段階での資源割当方法は、
現在資源を割当しようとする使用者に最もチャンネルの状態が良い副周波数帯域(Band)で資源を割当して、割当しようとする副周波数帯域(Band)に追加的に割当可能な資源のない場合、同一な時間領域(Zone)内で次にチャンネル状態が良い副周波数帯域(band)で資源を割当する段階と、及び
割当しようとする前記時間領域(Zone)でこれ以上割当可能な資源のない場合、その次の時間領域(Zone)うちから最もチャンネル状態が良い副周波数帯域(Band)で資源を割当する段階とを含み、
前記資源割当方法に適用される周波数再使用率は、１であることを特徴とする、
直交周波数分割多重システムの帯域分散的資源割当方法。
【請求項２】
前記クラスター内の各セルの資源割当スタート領域は、相互に異なることを特徴とする、請求項１に記載の直交周波数分割多重システムの帯域分散的資源割当方法。
【請求項３】
前記Ｎは、前記クラスター内のセルの数と同一であることを特徴とする、請求項１に記載の直交周波数分割多重システムの帯域分散的資源割当方法。
【請求項４】
少なくとも２個以上のセルを含むクラスター単位に構成される直交周波数分割多重システムでの帯域分散的資源割当装置において、
前記直交周波数分割多重システムの一フレームの周波数資源を時間の軸によってＮ個の時間領域(Zone)に区分する手段と、
前記クラスター内のセル各々に対して前記Ｎ個の時間領域(Zone)のうちから資源割当スタート領域を決定する手段と、
前記各セルのスケジューラーによって決定された使用者を経路減衰によって降順に整列する手段と、及び
前記降順に整列された使用者に対して前記各セルの資源割当スタート領域から順に資源を割当する手段とを含み、
前記降順に整列された使用者に対して前記各セルの資源割当スタート領域から順に資源を割当する手段は、現在の資源を割当しようとする使用者に最もチャンネルの状態が良い副周波数帯域(Band)で資源を割当して、割当しようとする副周波数帯域(Band)に追加的に割当可能な資源のない場合、同一な時間領域(Zone)内で次にチャンネルの状態が良い副周波数帯域(band)で資源を割当して、割当しようとする前記時間領域(Zone)でこれ以上割当可能な資源のない場合、その次の時間領域(Zone)のうちから最もチャンネルの状態が良い副周波数帯域(Band)で資源を割当することを特徴とする、
直交周波数分割多重システムでの帯域分散的資源割当装置。
【請求項５】
前記クラスター内の各セルの資源割当スタート領域は、相互に異なることを特徴とする、請求項４に記載の直交周波数分割多重システムでの帯域分散的資源割当装置。
【請求項６】
前記Ｎは、前記クラスター内のセルの数と同一であることを特徴とする、請求項４に記載の直交周波数分割多重システムでの帯域分散的資源割当装置。
【発明の詳細な説明】
【技術分野】
【０００１】
本発明は、直交周波数分割多重接続システムでの帯域分散的資源割当方法及び装置に係り、詳しくは、直交周波数分割多重接続システムで帯域分散的資源割当方法を利用して同一チャンネルを使用するセル境界使用者に現れる性能の劣化を極小化してセル全体の平均伝送率を向上させるための方法及び装置に関する。
【背景技術】
【０００２】
一般的に、セルラー無線通信システムでは、限定された周波数資源を効率的に使用するために、空間的に離れた二つの地域で同じ周波数資源を使用する。
周波数再使用率は、セルラー無線通信システムの核心の概念であって、同じ周波数がいくつかのセルごとにさらに使用されるかの可否を示す値である。多数のセルが周波数帯域を分割して使用する多重セルの通信システムでセル間の干渉を減少させて周波数資源を再使用するために、周波数帯域が周波数再使用係数Ｋと同じ数の副周波数帯域に分割される。
【０００３】
図１は、周波数再使用係数Ｋが３(Ｋ=３)である多重セルシステムの周波数資源割当の形態を示した図である。
図１に示したように、周波数再使用係数Ｋが３であるシステムは、周波数全体を周波数再使用係数ほどの副周波数帯域(sub-frequency band)に分割して、各セルは、１個の副周波数帯域のみを使用する。
【０００４】
システムの隣接したセルで同一な周波数を使用しないので、隣接したセルでの干渉は無く、同一チャンネルを使用するセルは、かなり遠く離れているので、干渉の量が大変減少される。ところが、周波数帯域全体のうちから使用される量が、１/Ｋに減少するので、周波数帯域の使用効率は、その分低くなる。
すなわち、周波数再使用係数Ｋが大きいほど、セル間の干渉は減少するが、１個のセルで使用する周波数資源の量は減少して、セル全体の通信容量も減少する。１個のセルで使用する副周波数帯域の量、すなわち、１/Ｋが周波数再使用率である。コードの分割多重接続方式(Code Division Multiple Access、以下、ＣＤＭＡと略する)では、全てのセルが同一な周波数帯域を使用する。すなわち、ＣＤＭＡシステムで周波数再使用係数Ｋは、１が適用される。これは、全ての周波数帯域を全てのセルで同時に使用することを意味する。これによって、高速通信のための次世代伝送技法としてＯＦＤＭＡ技術が台頭されており、ＯＦＤＭＡシステムもＣＤＭＡのように、周波数再使用率１を満足する。
【０００５】
ところが、ＣＤＭＡは、直交性を有するコードを使用者に割当して拡散して通信するので、使用者間の干渉が最小化されるが、周波数資源と時間領域に資源を分けて使用する直交周波数分割多重接続(Orthogonal Frequency Division  Multiple Access、以下、ＯＦＤＭＡと略する)方式の場合は、セル内の使用者間には直交性が保障されるが、隣接したセルと同一な時間に同一な周波数が使用されるので、その干渉の影響が極めて深刻である。従って、前述したような理由でＯＦＤＭＡシステムで周波数再使用率を１に近接して使用し、周波数資源の効率性を増加させながら、他の隣接したセルとの干渉を最小化するための方案を必要とする。
【０００６】
前述したようなＯＦＤＭＡシステムで周波数再使用率を１に近接するように使用し、周波数資源の効率性を増加しながら、隣接したセルとの干渉を最小化するための研究が行われている。
【０００７】
図２に示したように、IEEE８０２.２０Mobile Broadband Wireless Access(ＭＢＷＡ)規格で提案するセル境界の干渉の解決方案として、部分周波数再使用(Fractional Frequency Reuse、以下、ＦＦＲと略する。)方法がある。この方式は、周波数帯域全体を多数の周波数帯域に区分して、セルごとに、予め決めた周波数帯域の一部を使用しないことによって、向かい合う隣接したセル間に、相互に異なる周波数を使用して干渉を減少させる方式である。
【０００８】
ところが、ＦＦＲを適用するためには、セル内の位置によって使用する周波数を、セルを設計する時から考慮して配置して、特定の周波数を使用する位置に割当可能な周波数量より使用者の数が多いか、または少ないと、周波数資源が柔軟に割当できない短所がある。また、特定の周波数を使用しない方式で資源の浪費をもたらして周波数再使用率１を満足せず、これによって、干渉の影響が減少されるが、周波数資源の効率性は低下される可能性がある。
【０００９】
これとは類似な方法として３GPPLTEなどで考慮されたSoft Frequency Reuse(以下、ＳＦＲと略する。)方式がある。この方式は、図３に示したように、セルを中央と境界に区分して、セルの中央では、全ての周波数帯域を使用して、セルの境界では、ＦＦＲのように、周波数帯域の一部を使用しないことによって、向かい合うセル間に相互に異なる周波数帯域を使用する方法である。また、この方法は、セルの中央では、チャンネルの状態が良いため、弱い電力で通信が行われて、セルの境界では、隣接したセルで同一な周波数を使用しないため、強い電力で通信を行わせて、セルの境界の使用者が高い適応変調及び符号化(Adaptive Modulation and Coding、以下、ＡＭＣと称する。)方式が使用できるようにする。
【００１０】
ところが、ＳＦＲ方式もＦＦＲと同一な問題を有している。すなわち、セルの中央では、周波数再使用率が１であるが、セルの境界では、周波数帯域の一部を使用しないため、周波数再使用率が１ではなく、従って、周波数効率が減少される。また、セルの一部分に使用者が集中して分布すると、その部分に割当された資源以上を使用者に与えられなくなって、資源使用の効率を減少させる。これに比べて、領域の一部に使用者がいなくなると、残る資源を使用者が使用できなくなって資源の浪費をもたらす。
【００１１】
ＦＦＲやＳＦＲは、使用者が均一に分布しない場合、資源の柔軟な割当が不可能であって、周波数再使用率１を満足せず、資源効率性が劣る短所がある。これは、ＦＦＲやＳＦＲの問題のみならず、今まで研究された殆どの同一チャンネルの干渉を緩和するための周波数資源割当方式の共通的な問題である。
【発明の開示】
【発明が解決しようとする課題】
【００１２】
本発明は、ＯＦＤＭＡシステムで周波数再使用率１を使用する場合、セルの境界の使用者が同一周波数を使用して、同一チャンネルの干渉が深刻な問題になるため、ＯＦＤＭＡシステムで周波数再使用率１を使用しながらもセル間の干渉を最小化するための資源割当方法及びシステムを提供する。
【００１３】
また、本発明は、周波数再使用率１を使用しながらもセル内で使用者の位置の分布に影響を受けず、セル内でトラフィック負荷の増減にも柔軟に適用できて、周波数効率性を最大化する資源割当方法及びシステムを提供する。
【課題を解決するための手段】
【００１４】
前述したような目的を達成するために、本発明による帯域分散的資源割当方法は、直交周波数分割多重システムの一フレームの周波数資源を時間の軸によってＮ個の時間領域(Zone)に区分する段階（ステップ）と、前記クラスター内のセル各々に対して前記Ｎ個の時間領域(Zone)のうちから資源割当スタート領域を決定する段階と、前記各セルのスケジューラーによって決定された使用者を経路減衰によって降順に整列する段階と、及び前記降順に整列された使用者に対して前記各セルの資源割当スタート領域から順に資源を割当する段階とを含むことを特徴とする。
【００１５】
前記クラスター内の各セルの資源割当スタート領域は、相互に異なる。
【００１６】
また、前記Ｎは、前記クラスター内のセルの数と同一である。
【００１７】
前記降順に整列された使用者を前記各セルの資源割当スタート領域から順に資源を割当する段階で、資源割当方法は、現在資源を割当しようとする使用者が最も好む副周波数帯域(Band)で資源を割当して、割当しようとする副周波数帯域(Band)に追加的に割当可能な資源がない場合、同一な時間領域(Zone)内で次に好む副周波数帯域(band)で資源を割当する段階と、及び割当しようとする前記時間領域(Zone)でこれ以上割当可能な資源がない場合、その次の時間領域(Zone)うちから最も好む副周波数帯域(Band)で資源を割当する段階とを含む。
【００１８】
前記資源割当方法に適用される周波数再使用率は、１である。
【００１９】
また、本発明による帯域分散的資源割当装置は、直交周波数分割多重システムの一フレームの周波数資源を時間の軸によってＮ個の時間領域(Zone)に区分する手段と、前記クラスター内のセル各々に対して前記Ｎ個の時間領域(Zone)のうちから資源割当スタート領域を決定する手段と、前記各セルのスケジューラーによって決定された使用者を経路減衰によって降順に整列する手段と、及び前記降順に整列された使用者に対して前記各セルの資源割当スタート領域から順に資源を割当する手段とを含むことを特徴とする。
【００２０】
前記クラスター内の各セルの資源割当スタート領域は、相互に異なる。
【００２１】
また、前記Ｎは、前記クラスター内のセルの数と同一である。
【００２２】
前記降順に整列された使用者を前記各セルの資源割当スタート領域から順に資源を割当する手段は、現在の資源を割当しようとする使用者が最も好む副周波数帯域(Band)で資源を割当して、割当しようとする副周波数帯域(Band)に追加的に割当可能な資源がない場合、同一な時間領域(Zone)内で次に好む副周波数帯域(band)で資源を割当して、割当しようとする前記時間領域(Zone)でこれ以上割当可能な資源がない場合、その次の時間領域(Zone)のうちから最も好む副周波数帯域(Band)で資源を割当する。
【発明の効果】
【００２３】
本発明は、多重セル通信システムで周波数再使用率１で適用して周波数資源の効率性を極大化させながら各セルごとに他の資源割当スタート領域を置いて、隣接したセルでセルの境界の使用者に分散的に資源割当をしてセルの境界の使用者間に及ぶ深刻なセル間の干渉を除去し、隣接したセルからの干渉を緩和してシステムの性能低下を防ぐ。
また、使用者の位置の分布やセルの負荷に大きな影響を受けずに周波数再使用率１を満足して、セル間の干渉が減少するように、効率的に資源割当をすることによって、資源割当の柔軟性を保障する。
【発明を実施するための最良の形態】
【００２４】
以下、添付された図面を参照して、本発明の実施例の構成とその作用を説明する。
【実施例】
【００２５】
図面に示した本発明の構成と作用は、一実施例として説明されており、これによって、本発明の技術的思想とその核心的構成及び作用が限られるのではない。
さらに、本発明で使用される用語は、現在、幅広く使用されている一般的な用語を選択しているが、特定の場合は、出願人が任意に選定した用語を使用して説明する。この時、該当の部分の詳しい説明でその意味を明確に記載するので、本発明の説明で使用された用語の名称を単純に解釈せず、該当の用語の意味まで把握して解釈する必要がある。
【００２６】
本発明は、ＯＦＤＭＡを使用する多重セル通信システムで周波数再使用率１を満足しながらセル間の干渉を最小化して、周波数資源の効率性を最大化するために資源を割当する方法及びシステムを提案する。特に、本発明は、周波数再使用係数Ｋを１にするために、セル内の資源を時間的に分散して資源を割当することによって、資源の効率性を最大化しながら、セル間の干渉を最小化させる帯域分散的資源割当(Staggered Zone Resource Allocation、以下、ＳＺＲＡと称する。)システム及び方法を提案する。
【００２７】
図４は、本発明の望ましい一実施例による帯域分散的資源割当方法を考慮しているシステムのクラスター構造を説明するための図である。
【００２８】
図４に示したように、クラスターは、３個の隣接したセルの集合４０１を意味して、多重セルシステム内のセルは、全て隣接した３個のセルの集合であるクラスター構造内にあると仮定する。
【００２９】
本発明で考慮するシステムは、３個の隣接したセルの集合であるクラスター構造を有するのみ、すなわち、図１を参照して説明したように、周波数再使用係数Ｋが３を意味するのではない。本発明によるシステムは、全てのセルで全ての周波数を使用する周波数再使用係数(Ｋ=１)であるシステムを仮定する。図４の例では、１個のクラスターは、３個のセルで構成されるが、実際のシステムは、必ずしもこれに限られるのではない。
【００３０】
図５は、本発明の望ましい一実施例による帯域分散的資源割当(ＳＺＲＡ)方式を説明するための図である。
【００３１】
図５に示したように、多重セル内の全てのセルは、３個のセルで構成されるクラスター構造を有しており、全てのクラスターで資源を割当する方式は、同一である。従って、本発明による実施例は、３個のセルで構成された１個のクラスター構造のみを説明する。
【００３２】
クラスターは、cell１(５０１)、cell２(５０２)、cell３(５０３)で構成されている。割当しようとする資源は、時間の軸に３個の時間領域(以下、zoneと称する。)と周波数の軸に３個の副周波数帯域(sub-frequency band、以下、bandと称する。)を有しており、一使用者に１個のzoneで１個のbandが割当されると仮定する。
【００３３】
図５は、本発明の理解のための一実施例であって、zoneとbandの個数は、システムによってその数が異なり、zone内で一使用者に割当する資源の数も異なることを主旨する。
【００３４】
一方、各セルごとに使用者は、Ｕ１からＵ９まで、９人の使用者が不規則的に位置すると仮定する。基地局のスケジューラーは、セル内の使用者のうちから資源を割当する使用者を選択する。選択された使用者は、基地局から遠くにいる順に、すなわち、経路減衰(Pathloss)が大きい使用者から降順に整列されて、経路減衰が最も大きい使用者から資源を割当する。
【００３５】
本実施例では、理解の便宜上、全てのセルで経路減衰が最も大きい使用者をＵ１、その次に大きい使用者をＵ２順に仮定したおり、最も基地局に隣接した経路減衰が最も小さい使用者をＵ９と仮定した。
【００３６】
資源割当順に、ＲＡ_index = {Ｕ１、Ｕ２、Ｕ３、…、Ｕ９}
経路減衰が最も大きいセルの境界の使用者であるＵ１は、各セルで予め指定されている資源割当スタート領域のうち、使用者が最もチャンネルが良いと思うbandから資源を割当する。
【００３７】
ここで、次のように、資源割当スタート領域を説明する。
クラスターには、３個のセルが存在して、cell１(５０１)は、zone１が始まる部分５０４から資源を割当し始め、cell２(５０２)は、zone２が始まる部分５０５から資源を割当し始めて、cell３(５０３)は、zone３が始まる部分５０６から資源を割当し始める。このように、各セルが異なる資源割当を始める位置を資源割当スタート領域と称する。
【００３８】
各セルで基地局は、経路減衰が最も大きい使用者Ｕ１から資源割当スタート領域で資源を割当し始める。以前のフレームにセル内の使用者は、各bandに対する帯域チャンネル状態情報(Band Channel Quality Indication、以下、band ＣＱＩと称する。)を基地局にフィードバック(feedback)して、基地局は、band ＣＱＩを利用して、現在、割当しようとする使用者が資源割当スタート領域のうち、最も好むbandに資源を割当する。
【００３９】
最初の使用者Ｕ１に資源割当の手続きが終わると、その次の経路減衰が大きい使用者Ｕ２を選択して資源を割当するが、Ｕ２が最も好むbandが、以前に割当された使用者と同一で、そのbandに割当する資源が残っている場合は、望むbandを割当して、残ってない場合は、同一なzone内でその次に好むbandを割当する。
【００４０】
現在、割当しようとするzoneで、これ以上割当可能な資源がない場合は、その次のzoneで好むbandからもう一度資源を割当する。
【００４１】
本発明による資源割当方法を、より詳しく説明する。
前述したように、本発明の理解のために、単純な割当を例えている。
各セルで一フレーム間の割当可能な資源は、３個のzoneと３個のbandがあって、使用者は、９人が存在し、１人の使用者に１個のzoneで１個のbandが割当されると仮定する。
【００４２】
経路減衰が大きい順に使用者を降順整列して、最も経路減衰が大きい使用者をＵ１とした。Cell１(５０１)の場合、資源割当スタート領域がzone１(５０４)であるので、Ｕ１は、zone１のうち、最もチャンネルの状態が良いband２に割当される。
【００４３】
以後、Ｕ２がzone１でband１に割当される。実際のシステムの場合、Ｕ２が最も好むbandがband２であって、band２に割当可能な資源がある場合は、Ｕ２がband２に割当される。このような方法で、経路減衰が大きい使用者からzone１で全てのbandの資源を全て割当するまで、順に資源が割当される。
Ｕ４の場合は、これ以上zone１で割当可能な資源がないので、その次のzoneであるzone２に移動して最も好むbandであるband３が割当される。このような方法によって、Ｕ５、Ｕ６に資源が割当されて、Ｕ７は、zone２で、これ以上割当可能な資源がないので、zone３で資源が割当される。
【００４４】
Cell２(５０２)の場合は、資源割当スタート領域がzone２(５０５)であるので、Cell２のＵ１に、zone２のうち、最も好むbandが割当されて、前述した方法のように、資源を割当する。Cell２の場合は、zone２で全ての資源を割当すると、zone３で資源を割当し、zone３で割当が終わると、zone１で資源を割当する。
Cell３(５０３)も同一な方法で資源を割当するが、資源割当スタート領域がzone３(５０６)であるので、zone３→zone１→zone２の順に使用者に資源を割当する。
【００４５】
図６は、本発明の望ましい一実施例による帯域分散的資源割当の手続きを示したフローチャートである。
【００４６】
図６に示したように、クラスターの全てのセル各々は、自分に割当された資源割当スタート領域を判別する(段階６０１)。また、セル内の基地局は、セル内の全ての使用者の端末から帯域チャンネル状態情報(band ＣＱＩ)がフィードバックされる(段階６０３)。
【００４７】
基地局は、スケジューリングを通じて資源を割当する使用者を選択する(段階６０５)。以後、基地局は、選択された使用者を経路減衰が大きい順に整列する(段階６０７)。基地局は、降順に整列された使用者に対して順に資源割当を始めるため、資源を割当する使用者を選択する(段階６０９)。
【００４８】
基地局は、段階６０９で選択された現在の使用者に対して現在の時間領域(zone)で割当可能な資源が存在するかの可否を判断する(段階６１１)。この時、最初の現在の時間領域(zone)は、資源割当スタート領域と同一である。判断の結果、現在の時間領域(zone)で割当可能な資源が存在しないと、段階６１３が行われて、現在の時間領域(zone)で割当可能な資源が存在すると、段階６１５が行われる。
【００４９】
段階６１３で、基地局は、次の時間領域(zone)で資源割当を始めて、段階６１５以後の過程を行う。
【００５０】
段階６１５で、基地局は、現在の使用者が帯域チャンネル状態情報によって好む副周波数帯域(band)に割当可能な資源が存在するかの可否を判断する。
【００５１】
この時、現在の使用者が好む副周波数帯域(band)に割当可能な資源が存在せず、基地局は、現在の使用者が次に好む副周波数帯域(band)を選択して(段階６１７)、段階６１５をさらに行う。現在の使用者が好む副周波数帯域(band)に割当可能な資源が存在すると、基地局は、現在の使用者に該当の副周波数帯域(band)で資源を割当する(段階６１９)。
【００５２】
以後、基地局は、資源が割当されてない使用者が存在するかの可否を判断する(段階６２１)。判断の結果、資源が割当されてない使用者が存在すると、段階６０９以後の段階が行われる。逆に、判断の結果、資源が割当されてない使用者が存在せず、全ての使用者に対して資源割当が完了された場合、以後の段階は、終了する。
【００５３】
以上、説明したＳＺＲＡ方式を適用すると、セルの境界の使用者を時間的に異なる時間領域(zone)で資源を割当させるので、同時にセルの境界で使用者が通信をして隣接したセル間の干渉がない。
【００５４】
図５で、cell１の使用者Ｕ３(５０７)とcell２の使用者Ｕ３(５０８)は、隣接したセルの境界の使用者として同一な周波数band３を使用するので、同時に通信をする場合、相互に深刻な干渉が発生する。
【００５５】
ところが、ＳＺＲＡ方式を適用すると、cell１のＵ３(５０７)はzone１で、cell２のＵ３(５０８)はzone２で通信をするので、相互に干渉の影響が及ばない。このように、cell１のＵ２(５０９)とcell３のＵ３(５１０)も隣接したセルの境界にあるが、各々zone１とzone３で通信するので、干渉の影響が及ばない。
Cell１のＵ２の場合、隣接したセルから干渉を及ぶ使用者は、同一な時間領域(zone)で同一な副周波数帯域(band)を使用するCell２のＵ８とCell３のＵ４であるが、これは、各使用者が該当の基地局の近くにいる場合であって、Ｕ２に及ぶ干渉が相対的に少ない。
【００５６】
また、ＳＺＲＡ方式は、資源割当スタート領域から周波数の軸に全ての資源を使用して割当するので、周波数再使用率１を使用して周波数の効率が増加する。さらに、使用者がセルの一方に偏って分布する場合も、使用者間の相対的な経路減衰の大きさによって順に資源を割当するので、資源が不足したり、浪費したりすることがない。
【図面の簡単な説明】
【００５７】
【図１】従来の周波数再使用係数Ｋが３であるシステムで周波数割当方法を説明するための図である。
【図２】従来の部分周波数再使用ＦＦＲ方式による周波数割当方法を説明するための図である。
【図３】従来のＳＦＲ方式による周波数割当方法を説明するための図である。
【図４】本発明の望ましい一実施例による帯域分散的資源割当方法を考慮しているシステムのクラスター構造を説明するための図である。
【図５】本発明の望ましい一実施例による帯域分散的資源割当ＳＺＲＡ方式を説明するための図である。
【図６】本発明の望ましい一実施例による帯域分散的資源割当の手続きを示したフローチャートである。
【図１】
0004740267.tif 000002
【図２】
0004740267.tif 000003
【図３】
0004740267.tif 000004
【図４】
0004740267.tif 000005
【図５】
0004740267.tif 000006
【図６】
0004740267.tif 000007